(57)【要約】      （修正有）【課題】信号コンタクト部およびグラウンドコンタクト部が連動する基板メイティングコネクタの提供。【解決手段】基板メイティングコネクタであって、一側が基板の信号電極と接触して前記信号電極と電気的に連結される信号コンタクト部１００と、一側が基板のグラウンド電極と接触して前記グラウンド電極と電気的に連結されるグラウンドコンタクト部２００と、および前記信号コンタクト部および前記グラウンドコンタクト部の間に位置する誘電体部３００と、を含み、前記グラウンドコンタクト部は、グラウンド部と、前記誘電体部を媒介として結合されて、前記信号コンタクト部と連動するように前記グラウンド部と接触して相対移動する他のグラウンド部を含む。【選択図】図２
2019175849.tif 000002
【特許請求の範囲】
【請求項１】
一側が基板の信号電極と接触して前記信号電極と電気的に連結される信号コンタクト部と、
一側が基板のグラウンド電極と接触して前記グラウンド電極と電気的に連結されるグラウンドコンタクト部と、
前記信号コンタクト部および前記グラウンドコンタクト部の間に位置する誘電体部とを含み、
前記信号コンタクト部は、
一側が開放されたハウジング挿入ホールが内部に形成されたハウジングと、
他側が開放された接触部挿入ホールが内部に形成された接触部と、
他端が前記ハウジング挿入ホールの内側に沿って移動可能に挿入され、一端が前記接触部挿入ホールの内側に沿って移動可能に挿入される連結部とを含み、
前記グラウンドコンタクト部は、
第１グラウンド部と、前記誘電体部を媒介として結合されて前記連結部と連動するように前記第１グラウンド部と接触して相対移動する第２グラウンド部とを含む、信号コンタクト部およびグラウンドコンタクト部が連動する基板メイティングコネクタ。
【請求項２】
前記第１グラウンド部に第１グラウンド中空部が形成され、前記第２グラウンド部に第２グラウンド中空部が形成され、前記第２グラウンド部に前記第１グラウンド中空部に他側の一部が挿入され、
前記誘電体部は、
前記ハウジングおよび前記第１グラウンド部間に位置する第１誘電体部と、
前記連結部および前記第２グラウンド部間に位置する第２誘電体部とを含み、
前記第２グラウンド部が前記第１グラウンド部の方向または前記第１グラウンド部の方向の反対方向に移動する場合、前記第２誘電体部によって前記連結部が前記第２グラウンド部の移動方向に前記第２グラウンド部と一緒に移動する、請求項１に記載の信号コンタクト部およびグラウンドコンタクト部が連動する基板メイティングコネクタ。
【請求項３】
前記連結部の内部に他側が開放されて形成される第１連結ホールと、
前記連結部の内部に一側が開放されて形成される第２連結ホールと、
前記連結部の他端に外壁から突出して形成される第１連結突出部と、
前記連結部の一端に外壁から突出して形成される第２連結突出部と、
前記連結部の他端から一側に長く形成され、前記連結部の周りに沿って２以上形成される第１連結スリットと、
前記連結部の一端から他側に長く形成され、前記連結部の周りに沿って２以上形成される第２連結スリットとを含む、請求項２に記載の信号コンタクト部およびグラウンドコンタクト部が連動する基板メイティングコネクタ。
【請求項４】
前記第２連結ホールの一側と前記接触部挿入ホールの他側の間に挿入される信号スプリングをさらに含み、
前記接触部が前記連結部の方向に移動する場合、前記信号スプリングが前記接触部によって圧縮され、圧縮された前記信号スプリングが復元されて、前記接触部が前記連結部の方向の反対方向に移動する、請求項３に記載の信号コンタクト部およびグラウンドコンタクト部が連動する基板メイティングコネクタ。
【請求項５】
前記接触部は、
前記接触部の内壁に一側に行くほど内径が小さくなるように傾斜した形状に形成される接触テーパー部をさらに含み、
前記接触部が前記連結部の方向に移動する場合、前記第２連結突出部の外径が前記接触テーパー部によって圧縮され、圧縮された前記第２連結突出部の外径が前記接触テーパー部の内径が大きくなる方向に沿って復元されて、前記接触部が前記連結部の方向の反対方向に移動する、請求項３に記載の信号コンタクト部およびグラウンドコンタクト部が連動する基板メイティングコネクタ。
【請求項６】
前記第２誘電体部は、
他端から一端に貫通するホール状に形成され、前記連結部と前記第２グラウンド部の間の周りに沿って２以上形成される第２誘電体中空部を含む、請求項３に記載の信号コンタクト部およびグラウンドコンタクト部が連動する基板メイティングコネクタ。
【請求項７】
前記第１グラウンド部の内側および前記第２グラウンド部の外側の間に位置するグラウンドスプリングをさらに含み、
前記第２グラウンド部が前記第１グラウンド部の方向に移動する場合、前記グラウンドスプリングが前記第２グラウンド部によって圧縮され、圧縮された前記グラウンドスプリングが復元されて、前記第２グラウンド部が前記第１グラウンド部の方向の反対方向に移動する、請求項２〜請求項６のいずれか一項に記載の信号コンタクト部およびグラウンドコンタクト部が連動する基板メイティングコネクタ。
【請求項８】
前記第１グラウンド部は、
前記第１グラウンド部の内壁に他側に行くほど内径が小さくなるように傾斜した形状に形成されるグラウンドテーパー部を含み、
前記第２グラウンド部は、
前記第２グラウンド部の他端に外側に突出した第２グラウンド突出部と、
前記第２グラウンド部の他端から一側に長く形成され、前記第２グラウンド部の周りに沿って２以上備えられる第２グラウンドスリットとを含み、
前記第２グラウンド部が前記第１グラウンド部の方向に移動する場合、前記第２グラウンド突出部の外径が前記グラウンドテーパー部によって圧縮され、圧縮された前記第２グラウンド突出部の外径が前記グラウンドテーパー部の内径が大きくなる方向に沿って復元されて、前記第２グラウンド部が前記第１グラウンド部の方向の反対方向に移動する、請求項７に記載の信号コンタクト部およびグラウンドコンタクト部が連動する基板メイティングコネクタ。
【請求項９】
前記第１グラウンド部は、
前記第１グラウンド部の内壁に他側に行くほど内径が小さくなるグラウンドテーパー部を含み、
前記第２グラウンド部は、
前記第２グラウンド部の他端に外側に突出した第２グラウンド突出部と、
前記第２グラウンド部の他端から一側に長く形成され、前記第２グラウンド部の周りに沿って２以上備えられる第２グラウンドスリットとを含み、
前記第２グラウンド部が前記第１グラウンド部の方向に移動する場合、前記第２グラウンド突出部の外径が前記グラウンドテーパー部によって圧縮され、圧縮された前記第２グラウンド突出部の外径が前記グラウンドテーパー部の内径が大きくなる方向に沿って復元されて、前記第２グラウンド部が前記第１グラウンド部の方向の反対方向に移動する、請求項２〜請求項６のいずれか一項に記載の信号コンタクト部およびグラウンドコンタクト部が連動する基板メイティングコネクタ。
【発明の詳細な説明】
【技術分野】
【０００１】
本発明は信号コンタクト部およびグラウンドコンタクト部が連動する基板メイティングコネクタに関するものである。
【背景技術】
【０００２】
図１のように、一側が印刷回路基板などの信号配線が形成された基板に接触して基板にＲＦ信号を伝達する基板メイティングコネクタは、基板の信号パッドと接触する信号コンタクト部１００、基板のグラウンドパッドと接触するグラウンドコンタクト部２００を含む。
【０００３】
このような信号コンタクト部１００とグラウンドコンタクト部２００は個別に動作する。
【０００４】
基板が傾いて基板メイティングコネクタに接触する場合、グラウンドコンタクト部２００が傾いた基板のグラウンドパッドに合わせて傾いて接触しても、信号コンタクト部１００がこれに合わせて傾かないため、一側に偏って基板の信号パッドに接触してインピーダンスが歪んだり、基板の信号パッドに接触しないためＲＦ信号が基板に伝達されない問題点がある。
【０００５】
このような問題点は、信号コンタクト部１００が傾いた基板の信号パッドに合わせて傾いて接触しても、グラウンドコンタクト部２００がこれに合わせて傾かない反対の場合による問題点もある。
【先行技術文献】
【特許文献】
【０００６】
【特許文献１】韓国公開特許第１０−２０１５−００８０４８６号公報
【特許文献２】韓国登録特許第１０−１５２９３７号公報
【特許文献３】韓国登録特許第１０−１４０８２４９号公報
【発明の概要】
【発明が解決しようとする課題】
【０００７】
本発明は信号コンタクト部およびグラウンドコンタクト部が連動する基板メイティングコネクタを提供することにその目的がある。
【課題を解決するための手段】
【０００８】
本発明の信号コンタクト部およびグラウンドコンタクト部が連動する基板メイティングコネクタは、一側が基板の信号電極と接触して上記信号電極と電気的に連結される信号コンタクト部と、一側が基板のグラウンド電極と接触して上記グラウンド電極と電気的に連結されるグラウンドコンタクト部と、および上記信号コンタクト部および上記グラウンドコンタクト部の間に位置する誘電体部と、を含み、上記グラウンドコンタクト部は、第１グラウンド部と、上記誘電体部を媒介として結合されて、上記信号コンタクト部と連動するように上記第１グラウンド部と接触して相対移動する第２グラウンド部を含む。
【０００９】
上記信号コンタクト部は、内部に一側が開放されたハウジング挿入ホールが形成されたハウジングと、内部に他側が開放された接触部挿入ホールが形成された接触部と、上記ハウジング挿入ホールの一側と上記接触部挿入ホールに他側の間に挿入される連結部を含み、上記第１グラウンド部に第１グラウンド中空部が形成され、上記第２グラウンド部に第２グラウンド中空部が形成され、上記第２グラウンド部に上記第１グラウンド中空部に他側の一部が挿入され、上記誘電体部は、上記ハウジングおよび上記第１グラウンド部間に位置する第１誘電体部と、および上記連結部および上記第２グラウンド部間に位置する第２誘電体部を含み、上記第２グラウンド部が上記第１グラウンド部の方向または上記第１グラウンド部の方向の反対方向に移動する場合、上記第２誘電体部によって上記連結部が上記第２グラウンド部の移動方向に上記第２グラウンド部と一緒に移動する。
【００１０】
上記連結部の内部に他側が開放されて形成される第１連結ホールと、上記連結部の内部に一側が開放されて形成される第２連結ホールと、上記連結部の他端に外壁から突出して形成される第１連結突出部と、上記連結部の一端に外壁から突出して形成される第２連結突出部と、上記連結部の他端から一側に長く形成され、上記連結部の周りに沿って２以上形成される第１連結スリットと、および上記連結部の一端から他側に長く形成され、上記連結部の周りに沿って２以上形成される第２連結スリットを含む。
【００１１】
上記第２連結ホールの一側と上記接触部挿入ホールの他側の間に挿入される信号スプリングと、をさらに含み、上記接触部が上記連結部の方向に移動する場合、上記信号スプリングが上記接触部によって圧縮され、圧縮された上記信号スプリングが復元されて、上記接触部が上記連結部の方向の反対方向に移動する。
【００１２】
上記接触部は、上記接触部の内壁に一側に行くほど内径が小さくなるように傾斜した形状に形成される接触テーパー部をさらに含み、上記接触部が上記連結部の方向に移動する場合、上記第２連結突出部の外径が上記接触テーパー部によって圧縮され、圧縮された上記第２連結突出部の外径が上記接触テーパー部の内径が大きくなる方向に沿って復元されて、上記接触部が上記連結部の方向の反対方向に移動する。
【００１３】
上記第２誘電体部は他端から一端に貫通するホール状に形成され、上記連結部と上記第２グラウンド部の間の周りに沿って２以上形成される第２誘電体中空部を含む。
【００１４】
上記第１グラウンド部の内側および上記第２グラウンド部の外側の間に位置するグラウンドスプリングをさらに含み、上記第２グラウンド部が上記第１グラウンド部の方向に移動する場合、上記グラウンドスプリングが上記第２グラウンド部によって圧縮され、圧縮されたグラウンドスプリングが復元されて、上記第２グラウンド部が上記第１グラウンド部の方向の反対方向に移動する。
【００１５】
上記第１グラウンド部は、上記第１グラウンド部の内壁に他側に行くほど内径が小さくなるように傾斜した形状に形成されるグラウンドテーパー部を含み、上記第２グラウンド部は、上記第２グラウンド部の他端に外側に突出した第２グラウンド突出部と、および上記第２グラウンド部の他端から一側に長く形成され、上記第２グラウンド部の周りに沿って２以上備えられる第２グラウンドスリットを含み、上記第２グラウンド部が上記第１グラウンド部の方向に移動する場合、上記第２グラウンド突出部の外径が上記グラウンドテーパー部によって圧縮され、圧縮された上記第２グラウンド突出部の外径が上記グラウンドテーパー部の内径が大きくなる方向に沿って復元されて、上記第２グラウンド部が上記第１グラウンド部の方向の反対方向に移動する。
【００１６】
上記第１グラウンド部は、上記第１グラウンド部の内壁に他側に行くほど内径が小さくなるグラウンドテーパー部を含み、上記第２グラウンド部は、上記第２グラウンド部の他端に外側に突出した第２グラウンド突出部と、および上記第２グラウンド部の他端から一側に長く形成され、上記第２グラウンド部の周りに沿って２以上備えられる第２グラウンドスリットを含み、上記第２グラウンド部が上記第１グラウンド部の方向に移動する場合、上記第２グラウンド突出部の外径が上記グラウンドテーパー部によって圧縮され、圧縮された上記第２グラウンド突出部の外径が上記グラウンドテーパー部の内径が大きくなる方向に沿って復元されて、上記第２グラウンド部が上記第１グラウンド部の方向の反対方向に移動する。
【発明の効果】
【００１７】
まず、信号コンタクト部およびグラウンドコンタクト部が基板のＲＦ信号を伝達可能な許容範囲内に正確に接触し、インピーダンスが歪まない効果がある。
【００１８】
また、接触部の一側が基板に安定的に接触する効果がある。
【００１９】
また、インピーダンスが変化することを最小化する効果がある。
【００２０】
また、復元力をさらに高めることができる効果がある。
【００２１】
また、基板メイティングコネクタを含むモジュールの高さを低くすることができ、手軽に締結することができ、安定的に固定できる効果がある。
【図面の簡単な説明】
【００２２】
【図１】先行技術を説明するための断面図である。
【図２】基板メイティングコネクタの復元状態を説明するための断面図である。
【図３】基板メイティングコネクタの圧縮状態を説明するための断面図である。
【図４】信号コンタクト部の外形を説明するための図面である。
【図５】信号コンタクト部の復元状態を説明するための断面図である。
【図６】信号コンタクト部の圧縮状態を説明するための断面図である。
【図７】信号コンタクト部の他の実施例に係る復元状態を説明するための断面図である。
【図８】基板メイティングコネクタを平面から見た図面である。
【図９】基板メイティングコネクタの他の実施例に係る復元状態を説明するための断面図である。
【図１０】基板メイティングコネクタを正面から見た図面である。
【図１１】基板メイティングコネクタがモジュールに挿入された状態を説明するための図面である。
【図１２】基板メイティングコネクタの外形を説明するための図面である。
【図１３】基板メイティングコネクタの外形を説明するための図面である。
【図１４】基板メイティングコネクタの外形を説明するための図面である。
【発明を実施するための形態】
【００２３】
信号コンタクト部１００とグラウンドコンタクト部２００が個別に動作するため、基板が傾いて接触する場合、グラウンドコンタクト部２００が傾いた基板のグラウンドパッドに合わせて傾いて接触しても、信号コンタクト部１００がこれに合わせて傾かないため、一側に偏って基板の信号パッドに接触してインピーダンスが歪んだり、基板の信号パッドに接触しないためＲＦ信号が基板に伝達されない問題点がある。
【００２４】
このような問題点は、信号コンタクト部１００が傾いた基板の信号パッドに合わせて傾いて接触しても、グラウンドコンタクト部２００がこれに合わせて傾かない反対の場合による問題点もある。
【００２５】
このような問題点を解決するために、本発明に係る基板メイティングコネクタは、図２〜図３に図示された通り、信号コンタクト部１００、グラウンドコンタクト部２００、および誘電体部３００を含む。
【００２６】
信号コンタクト部１００は一側が基板の信号電極と接触して信号電極と電気的に連結される。
【００２７】
グラウンドコンタクト部２００は一側が基板のグラウンド電極と接触してグラウンド電極と電気的に連結される。
【００２８】
誘電体部３００は信号コンタクト部１００およびグラウンドコンタクト部２００の間に位置する。
【００２９】
この時、グラウンドコンタクト部２００は、第１グラウンド部２１０と、誘電体部３００を媒介として結合されて、信号コンタクト部１００と連動するように第１グラウンド部２１０と接触して相対移動する第２グラウンド部２２０を含む。
【００３０】
信号コンタクト部１００およびグラウンドコンタクト部２００の相互動作が連動するための細部構成として、信号コンタクト部１００はハウジング１１０、接触部１２０、および連結部１４０を含む。
【００３１】
また、グラウンドコンタクト部２００は第１グラウンド部２１０および第２グラウンド部２２０を含む。
【００３２】
また、誘電体部３００は第１誘電体部３１０および第２誘電体部３２０を含む。
【００３３】
まず、信号コンタクト部１００の構成を説明すると、ハウジング１１０は内部に一側が開放されたハウジング挿入ホール１１１が形成され、他端にコンタクトピン１１５が形成される。
【００３４】
接触部１２０は内部に他側が開放された接触部挿入ホール１２１が形成される。
【００３５】
連結部１４０はハウジング挿入ホール１１１の一側と接触部挿入ホール１２１の他側の間に挿入される。
【００３６】
次いで、グラウンドコンタクト部２００の構成を説明すると、第１グラウンド部２１０は第１グラウンド中空部２１１が形成される。例えば、連結部の他端が上記ハウジング挿入ホールの内側に沿って移動可能に挿入され、連結部の一端が上記接触部挿入ホールの内側に沿って移動可能に挿入される。
【００３７】
第２グラウンド部２２０は第１グラウンド中空部２１１に他側の一部が挿入され、第２グラウンド中空部２２１が形成される。
【００３８】
次いで、誘電体部３００の構成を説明すると、第１誘電体部３１０はハウジング１１０および第１グラウンド部２１０の間に位置する。
【００３９】
第２誘電体部３２０は連結部１４０および第２グラウンド部２２０の間に位置する。
【００４０】
このような構成によって、図３に図示された通り、第２グラウンド部２２０が第１グラウンド部２１０の方向または第１グラウンド部２１０の方向の反対方向に移動する場合、第２誘電体部３２０によって連結部１４０が第２グラウンド部２２０の移動方向と共に移動する。
【００４１】
このように、信号コンタクト部１００およびグラウンドコンタクト部２００の相互動作が連動するため、信号コンタクト部１００およびグラウンドコンタクト部２００が基板のＲＦ信号を伝達可能な許容範囲内に正確に接触し、インピーダンスが歪まない効果がある。
【００４２】
図４〜図６に図示された通り、連結部１４０は第１連結ホール１４１、第２連結ホール１４２、第１連結突出部１４３、第２連結突出部１４４、第１連結スリット１４５、および第２連結スリット１４６を含む。
【００４３】
第１連結ホール１４１は連結部１４０の内部に他側が開放されて形成される。
【００４４】
第２連結ホール１４２は連結部１４０の内部に一側が開放されて形成される。
【００４５】
第１連結突出部１４３は連結部１４０の他端に外壁から突出して形成される。
【００４６】
第２連結突出部１４４は連結部１４０の一端に外壁から突出して形成される。
【００４７】
第１連結スリット１４５は連結部１４０の他端から一側に長く形成され、連結部１４０の周りに沿って２以上形成されて、連結部１４０の他端が多数個に分割されるようにする。
【００４８】
第２連結スリット１４６は連結部１４０の一端から他側に長く形成され、連結部１４０の周りに沿って２以上形成されて、連結部１４０の一端が多数個に分割されるようにする。
【００４９】
このような構成によって、図６に図示された通り、接触部１２０の一側が基板に接触して信号コンタクト部１００が圧縮された状態で、第１連結突出部１４３がハウジング１１０の内側に接触し、第２連結突出部１４４が接触部１２０の内側に接触してハウジング１１０および接触部１２０が連結部１４０を通じて電気的に連結される。
【００５０】
接触部１２０の一側が基板に接触する時、安定的に接触するために弾性を有するようにする構成をさらに含むことができる。
【００５１】
このような弾性構造は、図５および図６に図示された通り、信号スプリング１３０をさらに含んだり、図７に図示された通り、接触部１２０は接触テーパー部１２２をさらに含むことができる。
【００５２】
信号スプリング１３０は第２連結ホール１４２の一側と接触部挿入ホール１２１の他側の間に挿入される。
【００５３】
この時、接触部１２０が連結部１４０の方向に移動する場合、信号スプリング１３０が接触部１２０によって圧縮され、圧縮された信号スプリング１３０が復元されて、接触部１２０が連結部１４０の方向の反対方向に移動するようになる。
【００５４】
接触テーパー部１２２は接触部１２０の内壁に一側に行くほど内径が小さくなるように傾斜した形状に形成される。
【００５５】
この時、接触部１２０が連結部１４０の方向に移動する場合、第２連結突出部１４４の外径が接触テーパー部１２２によって圧縮され、圧縮された第２連結突出部１４４の外径が接触テーパー部１２２の内径が大きくなる方向に沿って復元されて、接触部１２０が連結部１４０の方向の反対方向に移動するようになる。
【００５６】
このように、接触部１２０の一側が基板に接触する時、弾性を有するようにする構成をさらに含むことによって、接触部１２０の一側が基板に安定的に接触する効果がある。
【００５７】
図２、図３および図８に図示された通り、第２誘電体部３２０は第２誘電体中空部３２１を含む。
【００５８】
第２誘電体中空部３２１は第２誘電体部３２０の他端から一端に貫通するホール状に形成され、連結部１４０と第２グラウンド部２２０の間の周りに沿って２以上形成される。
【００５９】
図３に図示された通り、第２グラウンド部２２０が第１グラウンド部２１０の方向に移動して、第１誘電体部３１０に第２誘電体部３２０が近接するようになる場合、第１誘電体部３１０の誘電率に第２誘電体部３２０の誘電率が加重されてインピーダンスが変化することを最小化するために、第２誘電体部３２０は第２誘電体中空部３２１が形成されて、第２誘電体部３２０の面積が減少する。
【００６０】
したがって、インピーダンスが変化することを最小化する効果がある。
【００６１】
本発明に係る基板メイティングコネクタは、図２および図３に図示された通り、第１グラウンド部２１０の内側および第２グラウンド部２２０の外側の間に位置するグラウンドスプリング２３０をさらに含むことができる。
【００６２】
図３に図示された通り、グラウンドコンタクト部２００の一側が基板に接触して第２グラウンド部２２０が第１グラウンド部２１０の方向に移動する場合、グラウンドスプリング２３０が第２グラウンド部２２０によって圧縮され、圧縮されたグラウンドスプリング２３０が復元されて、第２グラウンド部２２０が第１グラウンド部２１０の方向の反対方向に移動するようになる。
【００６３】
図２および図３に図示された通り、第２グラウンド部２２０が第１グラウンド部２１０の方向の反対方向に移動する復元力をさらに高めるか、図９に図示された通り、前述したグラウンドスプリング２３０を代替するために、第１グラウンド部２１０はグラウンドテーパー部２１２を含み、第２グラウンド部２２０は第２グラウンド突出部２２２および第２グラウンドスリット２２３を含むことができる。
【００６４】
グラウンドテーパー部２１２は第１グラウンド部２１０の内壁に他側に行くほど内径が小さくなるように傾斜した形状に形成される。
【００６５】
第２グラウンド突出部２２２は第２グラウンド部の他端に外側に突出する。
【００６６】
第２グラウンドスリット２２３は第２グラウンド部の他端から一側に長く形成され、第２グラウンド部の周りに沿って２以上形成されて、第２グラウンド部２２０の他端が多数個に分割されるようにする。
【００６７】
第２グラウンド部２２０が第１グラウンド部２１０の方向に移動する場合、第２グラウンド突出部２２２の外径がテーパー部２１２によって圧縮され、圧縮された第２グラウンド突出部２２２の外径がテーパー部２１２の内径が大きくなる方向に沿って復元されて、第２グラウンド部２２０が第１グラウンド部２１０の方向の反対方向に移動するようになる。
【００６８】
この時、第２グラウンド部２２０が第１グラウンド部２１０の方向の反対方向に必要以上に移動することを防止するために、第１グラウンド部２１０の壁面のうちテーパー部２２４が形成された位置を基準として、一側には第１グラウンド部２１０の壁面から内側に突出した係止部２１３が形成され得る。
【００６９】
このような係止部２１３は、第２グラウンド突出部２２２の一側が係止部２１３に係止されてそれ以上第２グラウンド部２２０が第１グラウンド部２１０の方向の反対方向に移動することを防止することができる。
【００７０】
このように、図２および図３に図示された通り、前述したグラウンドスプリング２３０をさらに含む場合、テーパー部２１２、第２グラウンド突出部２２２、および第２グラウンドスリット２２３によって、第２グラウンド部２２０が第１グラウンド部２１０の方向の反対方向に移動する復元力にグラウンドスプリング２３０による復元力を追加することができる。
【００７１】
したがって、第２グラウンド部２２０が第１グラウンド部２１０の方向の反対方向に移動する復元力をさらに高めることができる効果がある。
【００７２】
また、図９に図示された通り、前述したグラウンドスプリング２３０を含まない場合、テーパー部２１２、第２グラウンド突出部２２２、および第２グラウンドスリット２２３がグラウンドスプリング２３０を代替することができる。
【００７３】
本発明に係る基板メイティングコネクタは、図８、図１０および図１１に図示された通り、レンチなどのような工具を通じて一側をモジュールに挿入結合できるように、第１グラウンド部２１０はネジ山２１４、および締付部２１５を含むことができる。
【００７４】
ネジ山２１４は第１グラウンド部２１０の他側の周りに形成される。
【００７５】
締付部２１５は第１グラウンド部２１０の一側の周りに３以上の面が形成される。
【００７６】
図１１に図示された通り、モジュールＭはネジ山２１４に対応する壁面を有するホールＨを含み、ホールＨに基板メイティングコネクタが挿入結合される。
【００７７】
この時、コンタクトピン１１５はホールＨの中央に突出する信号ピンＰに電気的に連結され得る。
【００７８】
そして、基板Ｂが基板メイティングコネクタの一側と接触して、基板メイティングコネクタが基板ＢにＲＦ信号を伝達する。
【００７９】
このように、基板メイティングコネクタは一側がモジュールに挿入結合され得るようにネジ山２１４、および締付部２１５が含まれるため、基板Ｂの接触高さを減らすことができて基板メイティングコネクタを含むモジュールＭの高さを低くすることができ、手軽に締結することができ、安定的に固定できる効果がある。
【００８０】
本発明に係る基板メイティングコネクタの外形は、前述したネジ山２１４、および締付部２１５を含む形状に限定されず、図１２〜図１４に図示された通り、多様な形状に形成され得る。
【００８１】
図１２に図示された通り、第１グラウンド部２１０の形状はモジュールに圧入結合され得るように、一側に圧入突起ＰＢが多数形成される円筒状に形成される。
【００８２】
図１３に図示された通り、第１グラウンド部２１０の形状はモジュールにネジ結合され得るように、両側にネジが締結され得る溝が形成されるパネル状に形成される。
【００８３】
図１４に図示された通り、第１グラウンド部２１０の形状はＰＣＢにはんだ付け結合され得るように、ＰＣＢはんだ付けホールに挿入されるグラウンドピンＧＰが多数形成される形状に形成される。
［項目１］
一側が基板の信号電極と接触して前記信号電極と電気的に連結される信号コンタクト部；
一側が基板のグラウンド電極と接触して前記グラウンド電極と電気的に連結されるグラウンドコンタクト部；および
前記信号コンタクト部および前記グラウンドコンタクト部の間に位置する誘電体部；を含むものの、
前記グラウンドコンタクト部は、
グラウンド部と、前記誘電体部を媒介として結合されて、前記信号コンタクト部と連動するように前記グラウンド部と接触して相対移動する他のグラウンド部を含むことを特徴とする、信号コンタクト部およびグラウンドコンタクト部が連動する基板メイティングコネクタ。
［項目２］
上記信号コンタクト部は．
内部に一側が開放されたハウジング挿入ホールが形成されたハウジング；
内部に他側が開放された接触部挿入ホールが形成された接触部；
上記ハウジング挿入ホールの一側と上記接触部挿入ホールの他側の間に挿入される連結部；を含み、
上記グラウンドコンタクト部は、
第１グラウンド中空が形成される第１グラウンド部；
上記第１グラウンド中空に他側の一部が挿入され、第２グラウンド中空が形成された第２グラウンド部；を含み、
上記誘電体部は、
上記ハウジングおよび上記第１グラウンド部間に位置する第１誘電体部；および
上記連結部および上記第２グラウンド部間に位置する第２誘電体部；を含むものの、
上記第２グラウンド部が上記第１グラウンド部の方向または上記第１グラウンド部の方向の反対方向に移動する場合、上記第２誘電体部によって上記連結部が上記第２グラウンド部の移動方向と共に移動することを特徴とする、項目１に記載の信号コンタクト部およびグラウンドコンタクト部が連動する基板メイティングコネクタ。
［項目３］
上記連結部は、
上記連結部の内部に他側が開放されて形成される第１連結ホール；
上記連結部の内部に一側が開放されて形成される第２連結ホール；
上記連結部の他端に外壁から突出して形成される第１連結突出部；
上記連結部の一端に外壁から突出して形成される第２連結突出部；
上記連結部の他端から一側に長く形成され、上記連結部の周りに沿って２以上形成される第１連結スリット；および
上記連結部の一端から他側に長く形成され、上記連結部の周りに沿って２以上形成される第２連結スリット；を含む、項目２に記載の信号コンタクト部およびグラウンドコンタクト部が連動する基板メイティングコネクタ。
［項目４］
上記第２連結ホールの一側と上記接触部挿入ホールの他側の間に挿入される信号スプリング；をさらに含むものの、
上記接触部が上記連結部の方向に移動する場合、上記信号スプリングが上記接触部によって圧縮され、圧縮された上記信号スプリングが復元されて、上記接触部が上記連結部の方向の反対方向に移動することを特徴とする、項目３に記載の信号コンタクト部およびグラウンドコンタクト部が連動する基板メイティングコネクタ。
［項目５］
上記接触部は、
上記接触部の内壁に一側に行くほど内径が小さくなるように傾斜した形状に形成される接触テーパー部；をさらに含むものの、
上記接触部が上記連結部の方向に移動する場合、上記第２連結突出部の外径が上記接触テーパー部によって圧縮され、圧縮された上記第２連結突出部の外径が上記接触テーパー部の内径が大きくなる方向に沿って復元されて、上記接触部が上記連結部の方向の反対方向に移動することを特徴とする、項目３に記載の信号コンタクト部およびグラウンドコンタクト部が連動する基板メイティングコネクタ。
［項目６］
上記第２誘電体部は、
他端から一端に貫通するホール状に形成され、上記連結部と上記第２グラウンド部の間の周りに沿って２以上形成される第２誘電体中空；を含む、項目３に記載の信号コンタクト部およびグラウンドコンタクト部が連動する基板メイティングコネクタ。
［項目７］
上記第１グラウンド部の内側および上記第２グラウンド部の外側の間に位置するグラウンドスプリング；をさらに含むものの、
上記第２グラウンド部が上記第１グラウンド部の方向に移動する場合、上記グラウンドスプリングが上記第２グラウンド部によって圧縮され、圧縮されたグラウンドスプリングが復元されて、上記第２グラウンド部が上記第１グラウンド部の方向の反対方向に移動することを特徴とする、項目１〜項目６のいずれか一項に記載の信号コンタクト部およびグラウンドコンタクト部が連動する基板メイティングコネクタ。
［項目８］
上記第１グラウンド部は、
上記第１グラウンドの内壁に他側に行くほど内径が小さくなるように傾斜した形状に形成されるグラウンドテーパー部；を含み、
上記第２グラウンド部は、
上記第２グラウンド部の他端に外側に突出した第２グラウンド突出部；および
上記第２グラウンド部の他端から一側に長く形成され、上記第２グラウンド部の周りに沿って２以上備えられる第２グラウンドスリット；を含むものの、
上記第２グラウンド部が上記第１グラウンド部の方向に移動する場合、上記第２グラウンド突出部の外径が上記グラウンドテーパー部によって圧縮され、圧縮された上記第２グラウンド突出部の外径が上記グラウンドテーパー部の内径が大きくなる方向に沿って復元されて、上記第２グラウンド部が上記第１グラウンド部の方向の反対方向に移動することを特徴とする、項目７に記載の信号コンタクト部およびグラウンドコンタクト部が連動する基板メイティングコネクタ。
［項目９］
上記第１グラウンド部は、
上記第１グラウンドの内壁に他側に行くほど内径が小さくなるグラウンドテーパー部；を含み、
上記第２グラウンド部は、
上記第２グラウンド部の他端に外側に突出した第２グラウンド突出部；および
上記第２グラウンド部の他端から一側に長く形成され、上記第２グラウンド部の周りに沿って２以上備えられる第２グラウンドスリット；を含むものの、
上記第２グラウンド部が上記第１グラウンド部の方向に移動する場合、上記第２グラウンド突出部の外径が上記グラウンドテーパー部によって圧縮され、圧縮された上記第２グラウンド突出部の外径が上記グラウンドテーパー部の内径が大きくなる方向に沿って復元されて、上記第２グラウンド部が上記第１グラウンド部の方向の反対方向に移動することを特徴とする、項目１〜項目６のいずれか一項に記載の信号コンタクト部およびグラウンドコンタクト部が連動する基板メイティングコネクタ。
【符号の説明】
【００８４】
１００：信号コンタクト部
１１０：ハウジング
１１１：ハウジング挿入ホール
１１５：コンタクトピン
１２０：接触部
１２１：接触部挿入ホール
１２２：接触テーパー部
１３０：信号スプリング
１４０：連結部
１４１：第１連結ホール
１４２：第２連結ホール
１４３：第１連結突出部
１４４：第２連結突出部
１４５：第１連結スリット
１４６：第２連結スリット
２００：グラウンドコンタクト部
２１０：第１グラウンド部
２１１：第１グラウンド中空部
２１２：グラウンドテーパー部
２１３：係止部
２１４：ネジ山
２１５：締付部
２２０：第２グラウンド部
２２１：第２グラウンド中空部
２２２：第２グラウンド突出部
２２３：第２グラウンドスリット
２３０：グラウンドスプリング
３００：誘電体部
３１０：第１誘電体部
３２０：第２誘電体部
３２１：第２誘電体中空部
【図１】
2019175849.tif 000003
【図２】
2019175849.tif 000004
【図３】
2019175849.tif 000005
【図４】
2019175849.tif 000006
【図５】
2019175849.tif 000007
【図６】
2019175849.tif 000008
【図７】
2019175849.tif 000009
【図８】
2019175849.tif 000010
【図９】
2019175849.tif 000011
【図１０】
2019175849.tif 000012
【図１１】
2019175849.tif 000013
【図１２】
2019175849.tif 000014
【図１３】
2019175849.tif 000015
【図１４】
2019175849.tif 000016